(57)【要約】【課題】還元剤を含む改質ガス吹込みのための装置を、簡易で安価に設置することができ、排ガスの効率的な改質・増熱を安全に達成することができる冶金炉排ガスの改質装置を提案する。【解決手段】炭酸ガスと還元剤との改質反応による冶金炉排ガスの改質・増熱を行うために用いられる装置であって、冶金炉の排ガスダクトに、希釈窒素吹込み用外管とこの外管内に嵌挿された還元剤吹込み用内管とからなる同心２重管構造の改質ガス吹込みノズルを設置したことを特徴とする。【選択図】図１
2010202953.tif 000002
【特許請求の範囲】
【請求項１】
冶金炉から排出される高温の排ガスに還元剤を添加することによって、その排ガス中に含まれる炭酸ガスと還元剤との改質反応による該排ガスの改質を行うために用いられる装置であって、冶金炉の排ガスダクトに、希釈窒素吹込み用外管とこの外管内に嵌挿された還元剤吹込み用内管とからなる同心２重管構造の改質ガス吹込みノズルを、設置してなることを特徴とする冶金炉排ガスの改質装置。
【請求項２】
前記冶金炉は転炉であることを特徴とする請求項１に記載の冶金炉排ガスの改質装置。
【請求項３】
前記排ガスダクトは、下部フード、上部フードおよび輻射部からなるものであることを特徴とする請求項１または２に記載の冶金炉排ガスの改質装置。
【請求項４】
前記改質ガス吹込みノズルは、前記排ガスダクトの輻射部下部の周方向に１〜複数個設置されていることを特徴とする請求項１〜３のいずれか１に記載の冶金炉排ガスの改質装置。
【請求項５】
前記改質ガス吹込みノズルは、内管によって形成される中心通路からは還元剤を噴出させ、一方、該内管と外管との間に形成される環状通路からは希釈窒素を噴出させることを特徴とする請求項１〜４のいずれか１に記載の冶金炉排ガスの改質装置。
【請求項６】
前記外管は、前記排ガスダクトに取付けされている既設の非常停止用希釈窒素吹込み管であることを特徴とする請求項１〜５のいずれか１に記載の冶金炉排ガスの改質装置。
【請求項７】
前記外管の環状通路から噴出させる希釈窒素は、非常停止用希釈窒素であることを特徴とする請求項１〜６のいずれか１に記載の冶金炉排ガスの改質装置。
【請求項８】
前記還元剤は、天然ガス、液化石油ガス、メタン、エタン、軽質ナフサ、ラフィネート、メタノール、エタノール、ジメチルエーテルおよびジエチルエーテルのうちから選ばれるいずれか１種以上の化石資源系化合物を含むことを特徴とする請求項１〜７のいずれか１に記載の冶金炉排ガスの改質装置。
【請求項９】
前記還元剤は、非化石資源系有機化合物を含むことを特徴とする請求項１〜８のいずれか１に記載の冶金炉排ガスの改質装置。
【発明の詳細な説明】
【技術分野】
【０００１】
本発明は、冶金炉排ガスの改質装置に関し、とくに、転炉から発生する炭酸ガス含有排ガスに還元剤を含む改質ガスを吹き込んでこの排ガスの改質を行って熱エネルギーを回収するために用いられる改質装置を提案する。
【背景技術】
【０００２】
近年、産業界にとって炭酸ガスの排出削減は、地球環境を守り地球温暖化を防ぐための大きな課題である。特に、製鉄所にとっては、炭酸ガスの排出削減に向けた努力こそ、企業の存続にも関わる最重要の課題となっている。
【０００３】
製鉄所では、一般に、転炉などから炭酸ガスを含む高温の排ガスが発生する。この排ガスは、炭酸ガスの他に一酸化炭素や水素などを含むため、製鉄所内の各種設備を稼動させるエネルギー源としても利用される。また、こうした高温の排ガスの顕熱を利用するという観点からは、ボイラーに供給して低圧のスチームを発生させることで、廃熱回収を行うことも一般的である。しかしながら、製鉄所での低圧スチームの利用価値は低く、むしろ高温の排出ガスを化学的に利用できるようにすることが望ましいと考えられる。
【０００４】
ところで、メタンなどの各種炭化水素やメタノール、ジメチルエーテルなどの含酸素化合物等は、炭酸ガスや水蒸気と反応して一酸化炭素や水素に改質できることが知られている。この反応を利用した廃熱回収技術の中には、転炉等の冶金炉から発生する二酸化炭素および／または水蒸気を含む高温排ガス中に、炭化水素を含む気体および／または液体からなる還元剤を供給して改質反応を起こさせ、該排ガス中の一酸化炭素と水素を増加させることにより、排ガスの潜熱を増大させる「増熱」を図る方法が開示ある。
【０００５】
例えば、文献１には、転炉排ガス中に天然ガスを吹込んで、下記（１）式の改質反応を行わせる際に、この反応が完了していると考えられる位置の温度を３７５℃程度まで低下させる技術が開示されている。ただし、発明者らの研究によれば、前記改質反応は８００℃よりも低い温度では、カーボンの生成が顕著となり、排ガス回収設備内にカーボンやダストの堆積を招くという問題があることがわかった。その上、改質反応の温度が低下すると、反応効率の低下を招き、二酸化炭素の転化率も低下する。
【０００６】
ＣＨ４＋ＣＯ２→２ＣＯ＋２Ｈ２              （１）
【０００７】
また、この従来技術については、排ガス中の炭酸ガスを還元する天然ガスを、転炉炉口上方の、下部フード、上部フードあるいは輻射部などによって構成される排ガスダクトから吹き込んでいる。しかしながら、この方法を実施するために設けられる吹込みノズルは、一般的な転炉排ガスの排ダクトの壁面が水冷管で覆われた構造になっていることから、効果的な吹き込みを行うためには新たなフードの設計・製作が必要になる。しかも、下部フードあるいは上部フードは、１２００〜１８００℃程度の高温に曝されており、しばしば火炎も舞い上がる部分でもあるため、還元剤の吹込みノズルもまた水冷構造とする必要があり、高価になる。
【０００８】
次に、特許文献２には、転炉炉口付近の空間に、メタンなどの炭化水素を吹き込み、特許文献１と同様の改質・増熱を図る技術が開示されている。しかしながら、この技術については、転炉炉口付近で炭化水素を吹き込むため、炉口とスカートとの空隙から吸引される空気によって炭化水素が燃焼してしまい、改質反応の効率が低下するだけでなく、燃焼熱によって炉口近傍の耐火物やスカートの損耗が速くなるという問題がある。しかも、吹き込んだ炭化水素が爆発する可能性もあり、安全に操業することが困難である。
【０００９】
次に、特許文献３には、転炉壁（耐火物）の冷却と排ガスの改質、増熱を同時に達成する方法として、転炉上吹きランスから水と炭化水素系液体の混合物を吹込む技術が開示されている。この開示技術では、炭化水素の燃焼の可能性は低いものの、ランス外径を任意の大きさにすることができないので、吹込み量が少なくなり、増熱効果が限定的となる問題点がある。さらに、３重構造ないしは４重構造のランスが必要となり、ランス自体は寿命が短いので高価になるという問題もある。
【先行技術文献】
【特許文献】
【００１０】
【特許文献１】特開２０００−２１２６１５号公報
【特許文献２】特開２０００−２３９７２３号公報
【特許文献３】特開２０００−２８２１２８号公報
【発明の概要】
【発明が解決しようとする課題】
【００１１】
上述したように、炭酸ガスを含有する高温の転炉排出ガスを、このガスがもつ顕熱を利用してガスの改質を行う上記従来技術については、
ａ．カーボンの堆積や炭酸ガスの反応効率低下を招いたり、ＳｉＯ２やＡｌ２Ｏ３等の非燃焼成分の堆積を招いたりすること、
ｂ．天然ガス等の吹込み位置が、下部フードまたは上部フード、転炉炉口付近の溶鋼直上空間、あるいは上吹きランス付近であったため、装置が高価になる他、還元剤の燃焼や爆発の危険性に対して十分な対策がとられていないこと、
ｃ．改質・増熱された排ガスの発熱量が小さく増熱効果が限定的で、これを幅広い分野で利用することができないこと、
などの種々の課題があった。
【００１２】
そこで、本発明の目的は、還元剤を含む改質ガス吹込みのための装置を、排ガスダクトに対し、簡易で安価に設置することができ、かつ排ガスの効率的な改質・増熱を安全に達成することができる冶金炉排ガスの改質装置を提案することにある。
【課題を解決するための手段】
【００１３】
従来技術が抱えている上述した課題を克服し、高温の冶金炉排ガスを、簡易な構造の安価な設備で、安全にかつ効率よく改質するために、本発明では、冶金炉から排出される高温の排ガスに還元剤を添加することによって、その排ガス中に含まれる炭酸ガスと還元剤との改質反応による該排ガスの改質を行うために用いられる装置であって、冶金炉の排ガスダクトに、希釈窒素吹込み用外管とこの外管内に嵌挿された還元剤吹込み用内管とからなる同心２重管構造の改質ガス吹込みノズルを、設置してなる冶金炉排ガスの改質装置を提案する。
【００１４】
なお、本発明の冶金炉排ガスダクトの還元剤吹込み装置において、
（１）前記冶金炉は転炉であること、
（２）前記排ガスダクトは、下部フード、上部フードおよび輻射部からなるものであること、
（３）前記改質ガス吹込みノズルは、前記排ガスダクトの輻射部下部の周方向に１〜複数個設置されていること、
（４）前記改質ガス吹込みノズルは、内管によって形成される中心通路からは還元剤を噴出させ、一方、該内管と外管との間に形成される環状通路からは希釈窒素を噴出させること、
（５）前記外管は、前記排ガスダクトに取付けされている既設の非常停止用希釈窒素吹込み管であること、
（６）前記外管の環状通路から噴出させる希釈窒素は、非常停止用希釈窒素であること、
（７）前記還元剤は、天然ガス、液化石油ガス、メタン、エタン、軽質ナフサ、ラフィネート、メタノール、エタノール、ジメチルエーテルおよびジエチルエーテルのうちから選ばれるいずれか１種以上の化石資源系化合物を含むこと、
（８）前記還元剤は、非化石資源系有機化合物を含むこと、
がより好適な解決手段を提供できる。
【発明の効果】
【００１５】
（１）本発明によれば、冶金炉排ガスを改質するための装置を簡易な構造の安価な設備にすることができると共に、安全に排ガスの改質・増熱を果すことができ、ひいては炭酸ガスの排出削減を高効率に達成することができる。
（２）本発明によれば、冶金炉排ガス回収設備に元々備わっている非常停止用希釈窒素吹込み管を利用することにしたので、排ガスダクトに対し、全く新たな装置を設置しなくてもすみ、装置の設置費用を削減できる。
（３）本発明によれば、冶金炉から排出される高温の排ガスの顕熱をそのまま利用する構造となっているので、還元剤の添加によって炭酸ガス改質反応を導く際に、カーボンや非燃焼成分の発生、堆積がなく、排ガスの熱量を増熱させることができるようになると共に、排ガスの利用拡大と炭酸ガスの排出削減とを同時に達成することができるようになる。
（４）本発明によれば、還元剤を吹込む内管と希釈窒素を吹込む外管とからなる同心２重管構造のノズルを用いるので、還元剤の温度調整ができることに加え、希釈窒素の噴出により急速燃焼や爆発の危険性を効果的に防止するのに有効である。
（５）本発明によれば、改質反応のための還元剤として、安価に大量に生産される天然ガス等を用いる同心２重管装置であるから経済的であり、特に、バイオエタノール、バイオディーゼルなどの非化石資源系有機化合物を還元剤として用いる場合、炭酸ガス排出削減に大きく貢献できるようになる。
【図面の簡単な説明】
【００１６】
【図１】本発明を説明するための、転炉排ガス回収設備の略線図である。
【図２】本発明の改質ガス吹込みノズルの断面図である。
【発明を実施するための形態】
【００１７】
本発明に係る冶金炉排ガスの改質装置は、転炉や溶融還元炉などの冶金炉から排出される８００℃以上、好ましくは１０００℃以上である高温の排ガスに還元剤等を添加し、この排ガス中に含まれる炭酸ガスと還元剤とによる改質反応を導いて該排ガスの改質を行うための装置であり、冶金炉の排ガスダクトに、希釈窒素吹込み用外管とこの外管内に嵌挿された還元剤吹込み用内管とからなる同心２重管構造の改質ガス吹込みノズルを配設した点に特徴がある。
【００１８】
以下、本発明の構成について、冶金炉として転炉を用いた例で説明する。
転炉から排出される高温の排ガス（以下、これを単に「オフガス」ともいう）は、通常、１０〜２０容積％程度のＣＯ２と５０〜８０容積％程度のＣＯを含有し、発熱量が１５００〜２０００ｋｃａｌ／Ｎｍ３程度、転炉操業中での炉口部における温度は１２００〜１８００℃程度である。本発明の装置では、この転炉オフガス中に、天然ガス等の還元剤を添加して、その還元剤と炭酸ガスとによる上記（１）式の改質反応を導くことにより、該オフガスの増熱と炭酸ガスの排出削減を同時に、かつこれを安全に達成しようとするものである。即ち改質され、増熱されたオフガスは、例えば、製鉄所内の各種熱源として使われる（燃焼させる）ため、最終的には炭酸ガスを排出することになるものの、製鉄所内で用いられる重油等の補助燃料を増熱分相当量削減でき、その分だけ発生炭酸ガス量を削減できることになる。
【００１９】
図１は、本発明にかかる冶金炉排ガスの改質装置を説明するための、転炉の排ガス回収設備の略線図である。この図に示すように、転炉１から発生するオフガスは、スカート２、下部フード３、上部フード４、第１輻射部５、第１集塵機（湿式集塵機）６、第２集塵機７等を経て排出される。
【００２０】
図２は、本発明において用いられる好適な改質ガス吹込みノズルＮの例である。
本発明に係る改質装置では、希釈窒素吹込み用外管８と、天然ガス等の還元剤吹込み用内管９とからなる同心２重管構造の改質ガス吹込みノズルＮを、転炉の排ガスダクト、即ち、下部フード３、上部フード４、輻射部５のいずれかの位置に、ダクト周方向の１〜複数個所、例えば、２個を一対として２ヶ所の位置から合計で４個設置することが好ましい。
【００２１】
このような改質ガス吹込みノズルＮは、内管によって形成される中心通路９ａからは後述する還元剤を噴出させることができ、そして、外管８と内管９との間隙によって形成される環状通路８ａからは希釈窒素、例えば、非常停止用希釈窒素を噴出させることができるものである。
【００２２】
また、この希釈窒素の噴出および天然ガス等の還元剤の噴出は、それぞれ独立した状態で行われるが、前者は、例えば、転炉排ガスの温度上昇に伴う爆発の危険性があるときに作動させる非常停止用希釈窒素の噴射時の場合であり、一方、後者は、排ガスの改質・増熱を図るために供給する還元剤を噴出させるような場合である。もちろん、この両者を同時に噴出させることも可能であり、この場合、還元剤吹込みガス濃度の調整機能を持つことになる。
【００２３】
通常、このような転炉排ガスダクトを含む排ガス回収設備には、非常停止用希釈窒素吹込みノズル１２が、図示例では前記第１輻射部５の下部、上部フード４の上端近くに配設されている。本発明では、好ましくはこの既設の希釈窒素吹込みノズル１２を利用して、このノズルを前記外管８とし、その内部中心部に、還元剤吹込み用内管９を嵌挿して同心２重管構造の改質ガス吹込みノズルＮとしてもよい。この場合、既設の希釈窒素吹込みノズル１２をそのまま利用するので、建設費が大幅に節約できる。
【００２４】
この非常停止用希釈窒素吹込みノズル１２を利用する理由は、非常停止用希釈窒素は、一般に、転炉操業時の非常時に、高温排出ガスによる爆発を防止するために、スカート２〜輻射部５からな転炉排ガスダクト内に大量の窒素を吹込むために採用されているものである。この希釈窒素吹込みノズルというのは、通常、内径が２００〜３００ｍｍ程度の大口径のノズルがダクト周壁に２〜８箇所程度配置され、非常時にだけ用いるものが一般的である。本発明は、こうしたこの大口径の希釈窒素吹込みノズル、即ち、外管８に対し、それの内部に、このノズルよりも小口径の還元剤吹込み用内管９を軸方向の中心部に嵌挿させる態様で設置し、２重管構造としたものである。
【００２５】
上述した希釈窒素吹込みノズル１２は既設であるため、排ガス回収設備やランス１４に還元剤吹込み機能を追加して新規に設計したりして制作する必要がなく、該希釈窒素吹込みノズルである外管８の内部に単に還元剤吹込み用内管９を装着するだけでよく、簡便に設置でき安価である点で有利である。
【００２６】
なお、転炉排ガスダクト設備というのは、上記の非常停止用希釈窒素吹込みノズル１２の他に、ダクト内の点検口としてのマンホールに加えて、点検作業でダクト内に入る時の足場設置用のフランジが複数箇所に設置されているのが普通である。本発明の上述した例では、既設の非常停止用希釈窒素吹込みノズル１２の窒素吹込み管を改質ガス吹込みノズルの外管として使用することを提案したが、本発明の同心２重管構造の前記改質ガス吹込みノズルＮを、前記の既設マンホールや足場に設置することも可能である。
【００２７】
この改質ガス吹込みノズルＮは、通常、排ガスダクトの周方向に複数個設置することになるが、既設の希釈窒素吹込みノズル１２の一部だけを利用して設置してもよいし、全部の該ノズル１２に設置してもよい。また、この改質ガス吹込みノズルＮの設置は、上述した既設のマンホールや前記フランジを利用する場合についも同様である。
【００２８】
ところで、高温の排ガスが充満した状態にある転炉排ガスダクト内への改質ガス（還元剤）の吹き込みは、排ガスが８００℃以上の高温である第１輻射部５の下部に設置された前記改質ガス吹込みノズルＮから行われることが好ましい。図１にはそのような例を示した。転炉排ガスダクト中の第１輻射部５下部の排ガス温度は、通常、１１００〜１４００℃程度であり、改質反応を進行させるには十分な温度である。一方、この位置では酸素は一酸化炭素との燃焼反応によって完全に消費されており、この位置まで火炎が舞い上がることはない。したがって、排ガスを安全かつ効率的に改質し、増熱させることができるし、場合によっては、希釈窒素による濃度調整を行ってもよい。
【００２９】
前記改質ガス吹込みノズルＮより転炉の高温排ガス中に吹き込まれた天然ガスなどの還元剤は、排ガス中の炭酸ガスと反応して、前記（１）式の反応を起して排ガスの顕熱を吸収する。したがって、排ガス温度は反応の進行と共に低下する。そして、この反応の進行に伴って、排ガス流量、一酸化炭素濃度ならびに水素濃度が増加し、一方で、炭酸ガス濃度は減少する。図１では温度計１０、ガス分析計１１、およびガス流量計（図示せず）などを使って反応のモニタリングをしているが、これらの計測値を用いて還元剤の流量調節弁１３や還元剤供給圧力（図示せず）を制御してもよい。なお、第１集塵機６は湿式集塵機であるため、排ガスはここで急冷され、第１集塵機６手前までが反応に利用できる空間である。
【００３０】
本発明で用いることのできる還元剤は、天然ガスや液化石油ガス、メタン、エタン、軽質ナフサ、ラフィネート、メタノール、エタノール、ジメチルエーテル、ジエチルエーテル、バイオエタノール、バイオディーゼルなどの非化石資源系有機化合物、およびそれらの混合物などから選ばれる物質の少なくとも１つであることが好ましい。中でも天然ガスや液化石油ガス、軽質ナフサ、ラフィネート、ジメチルエーテルは、炭酸ガスとの反応性がよく、安価で大量の入手も容易であることから好ましい。天然ガスや液化石油ガスのように、室温で気体である還元剤を用いる場合、ガス吹き込みに適したノズルを用いればよく、ノズル形状やノズルの本数にとくに制約はない。また、ラフィネートのように、室温で液体の還元剤の場合は、これをミスト状に噴霧して注入してもよく、気化させた後、気体で注入してもよい。ミスト状で供給する場合、その液滴径は、炭酸ガスとの接触が効率的であればよく、好ましくは０．０１〜１０００μｍ、より好ましくは０．１〜１００μｍである。さらに、ジメチルエーテルのような液化ガスを還元剤とする場合は、事前に気化させて気体として注入してもよく、液体で供給しノズル近傍、あるいはノズル内で気化させて供給してもよい。この場合、ノズル近傍、あるいはノズル内で気化させる場合、気化熱によってノズルが冷却されるため、ノズルの保護の点からは好ましい。
【００３１】
また、還元剤としては、上記化石資源系化合物と共に、またはそれに代えて非化石資源系有機化合物を用いてもよい。非化石資源系有機化合物を還元剤として選択すると、炭酸ガス改質反応によってオフガスが増熱される分に加え、カーボンニュートラルな還元剤によって改質反応を行うため、炭酸ガス排出削減に大きく貢献できる点で好ましい。この非化石資源系有機化合物としては、バイオエタノール、バイオディーゼルまたはこれらの混合物を挙げることができる。なお、バイオエタノール、バイオディーゼルなどは、通常、室温で液体であるため、これをミスト状に噴霧して注入するか、気化させた後、気体として注入することが好ましい。なお、前記非化石資源系有機化合物の液化ガスの場合、上記したジメチルエーテルと同様に使用することが好ましい。
【実施例】
【００３２】
（実施例１）
この実施例は、３００ｔの上吹き転炉１を用い、図１に示す輻射部５の下部に配設されている非常停止用希釈窒素吹込みノズル１２を利用して設置された改質ガス吹込みノズルＮから、転炉排ガス（オフガス）中に、還元剤として天然ガスを添加する試験を行った例である。この実施例において用いられる改質装置の前記改質ガス吹込みノズルＮは、転炉排ガスダクト（輻射部）の軸方向のほぼ同一の高さに計４ヶ所に亘って均等の幅で設置されており、その外管８の内径は２００ｍｍである。４ヶ所に設置した改質ガス吹込みノズルＮの全てには、図２に示すような内径３５ｍｍの還元剤吹込み用内管９を備え、そして、この還元剤吹込み用内管９の上流側配管内には図示を省略した一般的な圧力制御弁ならびに流量調節弁などが取付けられている。
【００３３】
還元剤としての天然ガス吹き込みに先立ち、非常停止用窒素ガスのフローに問題がないかどうかを確認した。窒素ガスは設定流量である２７０００Ｎｍ３／ｈ吹込むことができ、転炉操業に何ら安全上の問題がないことがわかった。また、天然ガスを吹込んでいない時のオフガス流量は、６７０００Ｎｍ３／ｈ、ガス組成はＣＯ：６０容積％、ＣＯ２：１５容積％、Ｈ２：１容積％、Ｎ２：２４容積％であったので、ＣＯ２を１００５０Ｎｍ３／ｈ排出していたことになる。そして、添加した天然ガスは、４本の改質ガス吹込みノズルＮの合計で３６００Ｎｍ３／ｈとした。この天然ガスのＣＨ４含有率は９２容積％であったので、ＣＯ２とＣＨ４のモル比は略３：１に近似できる。なお、この改質ガス吹込みノズルＮ付近のオフガス温度は実測していないが、数値解析によると約１３００℃と見積られる。
【００３４】
このような実施条件の下で、天然ガスの供給圧力をゲージ圧で２００ｋＰａに調整し、各改質ガス吹込みノズルＮからの流量を９００Ｎｍ３／ｈとなるよう調整した。吹錬開始直後は酸素がリークしていたため、酸素濃度が１容積％以下になったところで、天然ガスの添加を開始し、改質したオフガスの温度、流量、組成をモニターした。その結果、オフガスは、温度９１０℃、流量７８０００Ｎｍ３／ｈ、組成は、ＣＯ：容積６４％、ＣＯ２：６容積％、Ｈ２：８容積％、Ｎ２：２２容積％、ＣＨ４、Ｏ２：分析限界以下であり、吹込んだ天然ガスは全量が炭酸ガスと反応しており、燃焼・爆発の危険性は皆無であった。また、ダクト（煙道）内へのカーボンなどの排ガスダストの生成や堆積は認められず、排ガスが効率的に改質されたことがわかった。また、改質前のオフガスの燃焼熱は１８４０ｋｃａｌ／Ｎｍ３であったが、改質後では２１４０ｋｃａｌ／Ｎｍ３と、オフガス体積規準で１６％増熱されていた。改質後のオフガス中の炭酸ガス流量は４６８０Ｎｍ３／ｈと計算され、炭酸ガスの転化率は５３％であり、本発明に係る装置を採用することが効果的であることが確かめられた。
【産業上の利用可能性】
【００３５】
本発明は、転炉の排ガスだけを対象とするものだけでなく、非常停止用希釈窒素吹込みノズルのような既設の大口径ノズルを有し、かつ多量の炭酸ガス含有高温排ガスを発生する各種冶金炉の排ガスダクトに設置する改質装置としても有用である。
【符号の説明】
【００３６】
１  転炉
２  スカート
３  下部フード
４  上部フード
５  輻射部
６  第１集塵機
７  第２集塵機
８  希釈窒素吹込み用外管
８ａ  環状通路
９  還元剤吹込み用内管
９ａ  中心通路
１０  温度計
１１  ガス分析計
１２  非常停止用希釈窒素吹込みノズル
１３  流量調節弁
１４  ランス
Ｎ  改質ガス吹込みノズル
【図１】
2010202953.tif 000003
【図２】
2010202953.tif 000004